(57)【要約】      （修正有）【課題】  衣類・その他の物体を洗濯するにあたり、少ない洗剤で短時間に生地及び物体を痛めずに、きれいに洗うことが出来る洗濯機の発明。【解決手段】  洗濯槽（１）の両側に設置された水振動裝置（３）により洗濯水（１４）を振動させる。洗濯槽の下部には気泡発生エアーポンプ（９）があり、洗濯水の中に噴出して気泡（１１）を発生させる。同じく洗濯槽の下部には洗濯水循環ポンプ（７）があり洗濯水を垂直方向に対流させる。この構造を用いて被洗濯物（１５）を水振動と気泡により洗濯を行う。また、これらの機構を枠型の洗浄機フレーム（４５）に組み込んだ可動式の洗濯機により、長大な被洗濯物にも対応可能となる。【選択図】          図１
2006122687.tif 000002
【特許請求の範囲】
【請求項１】
洗濯槽（１）の洗濯水（１４）の中に気泡（１１）を発生させこれを水振動装置（３）で洗濯水と被洗濯物（１５）を振動させて洗う構造。
【請求項２】
水振動装置は平面形の水振動板（２１）を永久磁石（２３）とボイスコイル（２４）に流れる電流（３０）により生じる推進力により前後の動きをさせるものである。
【請求項３】
水振動装置は２個を１対として正対させ、それぞれの振動させる位相を反転させる。すなわち左側・水振動装置の振動板が前進（３６）したときには、右側・水振動装置の振動板が後退（３７）する。また逆に、左側・水振動装置の振動板が後退した（４１）ときには、右側の水振動装置の振動板が前進（４０）する。これによって、効率よく洗濯水を左右に振動させる。
【請求項４】
洗濯水の振動は、振動板の出退位相を逆にさせ、左右の振動装置の間で行われるため、主として水の振動領域（４）で振動する。このため、洗濯水の水面に振動の成分が分散・影響することは小さく、音となって周囲に漏れることが少ない構造である。
【請求項５】
水振動装置の後部は振動板の前後動により圧力が高く、また、低くなる。左右１対の水振動装置後部を圧力平衡パイプ（５）で連結することにより、双方の圧力差を吸収出来、特に低周波域での損失が少なくなる。また、洗濯水の水圧により左右双方の振動板は後方に押されて振幅の中心が後方にずれてしまう。そこで、水圧平衡エアーポンプ（６）により振動板後方に水圧に見合った低圧空気を送り振幅の中心を振動板の基準位置に合わせる。
【請求項６】
水振動装置の振動板（２１）は、ボイスコイルに流れる電流により、毎秒１〜２００００回の振動をする。この振動は、単純な正弦波（５５）や、低い周波数と高い周波数の組み合わさった複合波（５６）で振動する。被洗濯物の生地の材質、厚さなどの条件により、水振動の振幅・波形・強さを選択する。被洗濯物（１６）に付着した汚れの物質（１７）は、洗濯水中を上昇する気泡（１９）の中で振動する被洗濯物（１８）から分離され、分離した汚れ物質（２０）は、気泡と共に洗濯水上に浮上する。
【請求項７】
洗濯槽の中では、洗濯水循環ポンプ（７）により洗濯水の循環流（１２）により被洗濯物の洗濯槽内循環位置（１３）に示した様に被洗濯物が移動する。洗濯槽の左側部分では洗濯水と気泡の中で振動させられる。また、洗濯槽の右側部分では洗濯水の中で振動させられる。気泡がある部分と、気泡が無い部分を交互に繰り返すことにより、変化のある状況を与えて効率の良い洗浄効果を得る。
【請求項８】
気泡発生エアーポンプ（９）は洗濯槽の下部から空気を噴出させる役目をするが、この空気の量を加減することにより、気泡の量と大きさを制御し、被洗濯物の生地の材質、厚さなどに合った気泡を供給する。
【請求項９】
洗濯に必要な機構を、枠形状の洗浄機フレーム（４５）に配置し、移動可能な構造とした可動式洗濯機とすることも可能。長大な被洗濯物は水槽の中に入れ、可動式洗濯機を移動しながら、被洗濯物をその枠内に収め洗濯を行う。
【発明の詳細な説明】
【発明の詳細な説明】
【技術分野】
【０００１】  本発明は、衣類などの洗濯及び大きな形状を持つ物体の洗濯を、気泡と水の振動を利用し、少ない洗剤で短時間に生地及び物体を痛めずに、きれいに洗うことが出来る装置の原理・構造に関するものである。
【背景技術】
【０００２】  従来の方法では衣類等の被洗濯物の洗濯を行うにあたり、水流及び被洗濯物の水中での撹拌や落下による物理的な衝撃等を用いていた。そのための問題点としては次の通り。
（その１）被洗濯物の汚れを除去するためには多くの洗剤が必要であった。
（その２）洗濯の時間は被洗濯物の汚れを取る事に長い時間を要していた。
（その３）被洗濯物の生地を傷める事が多かった。
（その４）長尺物や巨大なものに対しては洗浄する手段がなかった。
【発明が解決しようとする課題】
【０００３】  従来の洗濯機では被洗濯物に付いた汚れを取り去るため、被洗濯物全体を水流の撹拌や落下による物理的な衝撃等を用いていた。以下の点を解決する。
（その１）洗剤が不要、もしくは少量としたい。
（その２）短い時間での洗濯を可能としたい。
（その３）被洗濯物の生地を傷めないで行いたい。
（その４）長尺物や巨大なものも、安価な設備で洗濯したい。
【課題を解決するための手段】
【０００４】  上記課題の解決を達成するために、本発明では洗濯水の中に気泡を入れ、それを水振動装置を用いて被洗濯物と泡を振動させ、汚れを落とすこととした。
【０００５】  水振動装置による洗濯水（洗濯水）の振動は主として、被洗濯物に付着・からみついた汚れを解きほぐす役目をしている。
【０００６】  気泡は主として、被洗濯物から解きほぐされた汚れを分離させる役目をしている。
【発明の効果】
本発明は、以上説明したように構成されているので、以下に記載されているような効果を奏する。
【０００７】  水振動と泡により被洗濯物振動させるため生地を痛めることが少ない。
【０００８】  水振動の振幅・波形・強さを変えることにより、被洗濯物の材質に最適な洗濯が出来る。
【０００９】  被洗濯物の生地に直接振動が伝わるので洗濯時間が短くて済む。
【００１０】  水振動と泡を使っているので洗剤が不要または少量で済む。したがって流れ出る排水の中の洗剤により環境に負担をかけることが少なくなる。
【図面の簡単な説明】
【図１】洗濯機の平面図及び断面図である。
【図２】洗濯の原理を解説する図である  （１）  布に汚れが付着した状態  （２）  水振動と気泡を与えた状態  （３）  汚れが分離、洗濯水上に浮上する状態
【図３】水振動装置の断面図である。
【図４】水振動装置の作動解説図である。ボイスコイルの外部引き出し用・電力供給用リード線は図示を省略してある。  （１）  振動板が後退した状態  （２）  振動板が前進した状態
【図５】水振動装置の出退位相反転による水振動の解説図である。
【図６】水振動装置により水を振動させる波形の例である。  （１）  低い周波数の波形の例  （２）  高い周波数の波形の例  （３）  （１）と（２）を合成した波形の例
【図７】大物洗濯用の可動式洗濯機の構造である。この洗濯機は被洗濯物の長さや形状に合わせて移動する。被洗濯物は水中で拘束されるものが無く、自由に移動してしまうので、両端を長手方向に引いたりして洗濯機フレームの枠内に収まるように拘束する。
【図１】
2006122687.tif 000003
【図２】
2006122687.tif 000004
【図３】
2006122687.tif 000005
【図４】
2006122687.tif 000006
【図５】
2006122687.tif 000007
【図６】
2006122687.tif 000008
【図７】
2006122687.tif 000009